(57)【要約】【課題】語句の類別属性に応じて複数の語句をカテゴリーに分類して格納し、使用者が語句をサーチする際の精度を高めるとともに語句を入力する際の速度を改善する。【解決手段】語句カテゴリー対象表と、前記カテゴリーに分類される前記複数の語句と、を格納する語句データベース２１０と、使用者による選択に対応して、カテゴリーに分類されている一つの語句を前記語句データベースの中から読み出す語句読み出しモジュール２２０と、使用者の指示を受け付けるために使用される語句管理操作インタフェースを通じて、新たなカテゴリーおよび新たな語句を前記語句データベースへ挿入し、当該語句データベースから既存のカテゴリーおよび既存の語句を削除する管理操作モジュール２３０と、前記使用者の指示に即応して前記語句データベースの内容を更新する即時応答モジュール２４０と、を有する。【選択図】　　　　　　図１
2004145445.tif 000002
【特許請求の範囲】
【請求項１】
語句の類別属性に応じて複数の語句をカテゴリーに分類して格納し、使用者が語句をサーチする際の精度を高めるとともに語句を入力する際の速度を改善する、複数のカテゴリーに分類された語句データベースを有する中国語入力システムであって、
語句カテゴリー対象表と、前記カテゴリーに分類される前記複数の語句と、を格納する語句データベースと、
使用者による選択に対応して、カテゴリーに分類されている一つの語句を前記語句データベースの中から読み出す語句読み出しモジュールと、
使用者の指示を受け付けるために使用される語句管理操作インタフェースを通じて、新たなカテゴリーおよび新たな語句を前記語句データベースへ挿入し、あるいは当該語句データベースから既存のカテゴリーおよび既存の語句を削除するための管理操作モジュールと、
前記使用者の指示に即応して前記語句データベースの内容を更新する即時応答モジュールと、
を有することを特徴とする中国語入力システム。
【請求項２】
前記語句カテゴリー対象表は、分類された語句の番号と、当該語句が分類されるカテゴリーの名称とを含むことを特徴とする請求項１に記載の中国語入力システム。
【請求項３】
前記語句データベースは、前記語句カテゴリー対象表と、分類されるべき語句アイテムとを関連づけるための索引情報を設定するデータベースであることを特徴とする請求項１に記載の中国語入力システム。
【請求項４】
前記使用者による選択は、音声認識入力または周辺機器による入力を通じて行われることを特徴とする請求項１に記載の中国語入力システム。
【請求項５】
前記語句管理操作インタフェースは、ツリー構造表示領域、語句入力領域、および機能キー実装領域から構成されることを特徴とする請求項１に記載の中国語入力システム。
【請求項６】
語句の類別属性に応じて複数の語句をカテゴリーに分類して格納し、使用者が語句をサーチする際の精度を高めるとともに語句を入力する際の速度を改善する、複数のカテゴリーに分類された語句データベース機能を用いる中国語入力方法であって、
入力方法開始インタフェースを起動して語句管理操作インタフェースを表示するステップと、
語句管理操作インタフェースにおいて複数の前記カテゴリーの中から一つのカテゴリーを選択するステップと、
新たな語句を前記選択されたカテゴリー内へ挿入し、あるいは前記選択されたカテゴリーから既存の語句を削除するステップと、
新たな語句の挿入および既存の語句の削除に応じて、語句管理操作インタフェースの表示内容と、カテゴリー内に分類されている語句アイテムの内容と、を更新するステップと、有することを特徴とする中国語入力方法。
【請求項７】
前記語句管理操作インタフェースは、ツリー構造表示領域、語句入力領域、および機能キー実装領域から構成されることを特徴とする請求項６に記載の中国語入力方法。
【請求項８】
前記カテゴリーにおいては、カテゴリーの名称で定義される範囲に基づいて、当該カテゴリーに属する語句に対して階層構造的に番号が与えられることを特徴とする請求項６に記載の中国語入力方法。
【請求項９】
さらに、語句が分類される新たなカテゴリーを語句データベースへ挿入し、あるいは当該語句データベースから既存のカテゴリーを削除するステップを有することを特徴とする請求項６に記載の中国語入力方法。
【請求項１０】
語句の類別属性に応じて複数の語句をカテゴリーに分類して格納し、使用者が語句をサーチする際の精度を高めるとともに語句を入力する際の速度を改善する、複数のカテゴリーに分類された語句データベース機能を用いる中国語入力方法であって、
編集可能な文章ファイルにおいて入力方法開始インタフェースを起動するステップと、
カテゴリーを表示するステップと、
カテゴリーの選択を進めるステップと、
選択されたカテゴリーへ分類される語句を語句選択欄に表示するステップと、分類された語句の番号を使用者が語句選択欄から選択することを通じて、当該語句選択欄から所望の語句を読み出すステップと、
所望の語句を前記編集可能なファイル上に出力するステップと、
を有することを特徴とする中国語入力方法。
【請求項１１】
前記カテゴリーにおいては、カテゴリーの名称で定義される範囲に基づいて、当該カテゴリーに属する語句に対して階層構造的に前記番号を与えることを特徴とする請求項１０に記載の中国語入力方法。
【請求項１２】
前記選択の指示は、音声認識入力または周辺機器による入力を通じて行われることを特徴とする請求項１０に記載の中国語入力方法。
【発明の詳細な説明】
【０００１】
【発明の属する技術分野】
本発明は、入力装置およびその方法に関し、特に、内蔵された分類語句データベースを用いることによって使用者に対して高精度の語句サーチを提供するするとともに語句入力の速度を高めることができる中国語入力装置およびその方法に関する。
【０００２】
【従来の技術】
従来の中国語入力方法における問題点は、入力する速度が遅い点と、入力方法それ自体が不便である点である。一般的に、入力速度の問題の解決することを目的とする多くの入力方法は、入力速度を高めるために漢字を特定の部首に分解する機能を用いて発展してきた。しかしながら、使用者は自らの入力速度を実際に向上する前に、その漢字の分解方法について訓練を行って、その内容に精通しておかねばならなかった。このような漢字を分解するための入力方法を学習することが難しく不便であるので、それら分解型の入力方法は、あまり興味をもたれていないのが実情であった。
【０００３】
内蔵型語句データベースを設置することによって、頻繁に入力されやすい語句をデータベースに格納しておき、同様の語句を入力する際には、語句データベース内に記憶されている語句を適宜に読み出すことによって、何度も頻繁に使用する語句を繰り返して入力することを避けて、入力速度の問題と不便性の問題を解決することを目的とした入力方法がいくつか知られている。しかしながら、このような内蔵型データベースに予め格納される語句は、数が制限されており、その内容も制限されている。したがって、そのような内蔵型データベースが様々な状況の下で、異なる使用者の要求を十分に満たすものとは到底考えられない。このように多くの場合において使用者にとって内蔵型データベースが役立たないのであれば、使用者の入力速度を実際に高めることができない。
【０００４】
一方、以上の点を考慮して、使用者自身によって語句をユーザ登録したり、削除したりすることができる内蔵型語句データベースを用いる入力方法が多数存在するが、これらの内蔵型語句データベースは、語句の類別属性に応じて複数の語句をカテゴリーに分類して格納するものではないので、使用者はそのデータベース中で最適な語句をサーチしたり再利用したりすることが難しく、精度よく所望の語句をサーチして使用することが困難である。したがって、繰り返して入力することを避けるために格納しておいた語句を探し出すことが難しくなり、かえって入力が遅くなる場合もあった。さらに、ある一つのカテゴリーに分類されるべき複数の語句を一括して表示し、その中から所望の語句を選択することも困難であった。
【０００５】
これらの不都合な点を解決する必要があることに加えて、さらに、中国語入力システムにおけるデータの追加および削除、すなわち、複数の語句を分類して格納するためのカテゴリーおよび当該カテゴリー中に分類される語句の追加および削除の機能を果たす付加的なプログラムも所望されている。
【０００６】
以上のとおり、従来の入力システムが有する語句データベースは、不便であり、柔軟性に欠け、データベースの拡張機能の使用についても不便なものであり、使用者の興味を失わせるものであるのが実情であった。
【０００７】
【発明が解決しようとする課題】
以上のとおり、本発明は、上述した問題を解決するためになされたものであり、複数のカテゴリーに分類された語句データベース機能を有する入力システムおよび方法を提供するものである。本発明の目的は、データベースにおける語句のサーチの精度を高めるとともに、複数のカテゴリーに分類された語句データベースを自由に確立していくための機能を適用することによって、使用者の入力速度を高めることである。以下に述べる本発明の入力システムおよび入力方法に用いられる語句データベースは、語句の種別属性に応じて複数の語句をカテゴリーに分類して格納することが可能なデータベースである。
【０００８】
また、本発明の他の目的は、語句アイテム、カテゴリーの数および種類などのデータベース構造、および使用者のための管理操作インタフェースなどを適宜に調整する機能を提供することである。
【０００９】
【課題を解決するための手段】
上記目的は、以下の構成により達成される。
【００１０】
（１）本発明の中国語入力システムは、語句の類別属性に応じて複数の語句をカテゴリーに分類して格納し、使用者が語句をサーチする際の精度を高めるとともに語句を入力する際の速度を改善する、複数のカテゴリーに分類された語句データベースを有する中国語入力システムであって、語句カテゴリー対象表と、前記カテゴリーに分類される前記複数の語句と、を格納する語句データベースと、使用者による選択に対応して、カテゴリーに分類されている一つの語句を前記語句データベースの中から読み出す語句読み出しモジュールと、使用者の指示を受け付けるために使用される語句管理操作インタフェースを通じて、新たなカテゴリーおよび新たな語句を前記語句データベースへ挿入し、あるいは当該語句データベースから既存のカテゴリーおよび既存の語句を削除するための管理操作モジュールと、前記使用者の指示に即応して前記語句データベースの内容を更新する即時応答モジュールと、を有することを特徴とする。
【００１１】
（２）上記の語句カテゴリー対象表は、分類された語句の番号と、当該語句が分類されるカテゴリーの名称とを含む
（３）上記の語句データベースは、前記語句カテゴリー対象表と、分類されるべき語句アイテムとを関連づけるための索引情報を設定するデータベースである。
【００１２】
（４）上記の使用者による選択は、音声認識入力または周辺機器による入力を通じて行われる。
【００１３】
（５）上記の語句管理操作インタフェースは、ツリー構造表示領域、語句入力領域、および機能キー実装領域から構成される。
【００１４】
（６）本発明の中国語入力方法は、語句の類別属性に応じて複数の語句をカテゴリーに分類して格納し、使用者が語句をサーチする際の精度を高めるとともに語句を入力する際の速度を改善する、複数のカテゴリーに分類された語句データベース機能を用いる中国語入力方法であって、入力方法開始インタフェースを起動して語句管理操作インタフェースを表示するステップと、語句管理操作インタフェースにおいて複数の前記カテゴリーの中から一つのカテゴリーを選択するステップと、新たな語句を前記選択されたカテゴリー内へ挿入し、あるいは前記選択されたカテゴリーから既存の語句を削除するステップと、新たな語句の挿入および既存の語句の削除に応じて、語句管理操作インタフェースの表示内容と、カテゴリー内に分類されている語句アイテムの内容と、を更新するステップと、有することを特徴とする。
【００１５】
（７）上記の語句管理操作インタフェースは、ツリー構造表示領域、語句入力領域、および機能キー実装領域から構成される。
【００１６】
（８）上記のカテゴリーにおいては、カテゴリーの名称で定義される範囲に基づいて、当該カテゴリーに属する語句に対して階層構造的に番号が与えられる。
【００１７】
（９）上記の中国語入力方法は、さらに、語句が分類される新たなカテゴリーを語句データベースへ挿入し、あるいは当該語句データベースから既存のカテゴリーを削除するステップを有する。
【００１８】
（１０）本発明の中国語入力方法は、語句の類別属性に応じて複数の語句をカテゴリーに分類して格納し、使用者が語句をサーチする際の精度を高めるとともに語句を入力する際の速度を改善する、複数のカテゴリーに分類された語句データベース機能を用いる中国語入力方法であって、編集可能な文章ファイルにおいて入力方法開始インタフェースを起動するステップと、カテゴリーを表示するステップと、カテゴリーの選択を進めるステップと、選択されたカテゴリーへ分類される語句を語句選択欄に表示するステップと、分類された語句の番号を使用者が語句選択欄から選択することを通じて、当該語句選択欄から所望の語句を読み出すステップと、所望の語句を前記編集可能なファイル上に出力するステップと、を有することを特徴とする。
【００１９】
（１１）上記のカテゴリーにおいては、カテゴリーの名称で定義される範囲に基づいて、当該カテゴリーに属する語句に対して階層構造的に前記番号を与える。
【００２０】
（１２）上記の選択の指示は、音声認識入力または周辺機器による入力を通じて行われる。
【００２１】
本発明についてのさらに詳しい説明および技術内容は、以下の発明の詳細な説明および添付された図面によって示される。
【００２２】
【発明の実施の形態】
以下、図面を参照して本発明の実施の形態を説明する。
【００２３】
本発明は、分類された語句データベースを用いる入力システムおよび方法を提供する。この入力システムおよび方法は、図１に示されるとおり、以下のシステム構成を有する。
【００２４】
（１）語句データベース２１０は、主として語句カテゴリー対照表（語句類別対照表）と、カテゴリーに分類される複数の語句（システムに予め内蔵されていた語句および使用者によって入力されてユーザ登録された語句を含む）を格納するためのものである。語句データベース２１０は、語句カテゴリー対照表内において語句の番号と、カテゴリーの名称とを関連づけて記録するとともに、語句カテゴリー対照表と、カテゴリーに分類される語句アイテム（すなわち、実際の語句のデータなど）との間に索引情報（インデックス）を設定するアソシエイティッドデータベース（ａｓｓｏｃｉａｔｅｄ　ｄａｔａｂａｓｅ）である。本発明において語句が分類される複数のカテゴリーは、相互に階層関係を有しており、このため、予め設定された語句の名称の定義範囲の大小関係や包含関係に応じて分類各語句をカテゴリーに分類することができる。このようなカテゴリーの階層関係を示すために、上述した各カテゴリーの番号が階層構造を有している。そして、この番号同士を比較すれば各カテゴリーの階層関係がすぐに判断できるようになっている。たとえば、「生活（ＬＩＶＩＮＧ）カテゴリー」には、「仕事（ＷＯＲＫＩＮＧ）」、「家庭（ＦＡＭＩＬＹ）」、および「娯楽（ＥＮＴＥＲＴＡＩＮＭＥＮＴ）」などの複数の下位カテゴリー、すなわちサブカテゴリーが含まれる。そして、これらの各サブカテゴリーは、さらに細分類された複数のサブカテゴリーに分解される。カテゴリーとサブカテゴリーの関係は、各サブカテゴリーに対して階層的な番号を付与し、この番号と、このサブカテゴリーが分類されるべきカテゴリー名称とを語句カテゴリー対照表において関連づけるとともに、この語句カテゴリー対照表とカテゴリーに分類されるサブカテゴリー名称との間に索引情報（インデックス）を設定することにより判断される。一方、たとえば、それ以上に分類することができない最も細かいサブカテゴリーである場合には、その中に格納されるべき語句のデータコンテンツ、すなわち語句が当該サブカテゴリー中に存在する。どの語句がどのカテゴリーに分類されるか否かは、上述したサブカテゴリーの分類の手法と同様に、各語句に対して階層的な番号を付与し、語句カテゴリー対象表において、この番号と、この語句が分類されるべきカテゴリーの名称とを関連づけるとともに、この語句カテゴリー対照表とカテゴリーに分類されるべき語句との間に索引情報（インデックス）を設定することにより判断される。語句のサーチを実行する際には、使用者は、要求する語句データコンテンツ、すなわち語句をこの階層構造を介して高精度および高効率に探すことができる。
【００２５】
（２）語句読み出しモジュール２２０は、主として、使用者による選択に対応して、カテゴリーに分類されている語句を語句データベース２１０内から読み出すためのものである。一般的には、使用者による選択は、音声認識入力法またはマウスやキーボード等の周辺機器による入力を通じて、各カテゴリーを選択したり、さらにカテゴリー内に分類されている語句を選択したりすることによって行われる。具体的には、選択されたカテゴリーへ分類される語句を語句選択欄に表示して、分類された語句の番号などを使用者が語句選択欄から選択することを通じて、当該語句選択欄から所望の語句を瞬時にサーチすることができる。
【００２６】
（３）管理操作モジュール２３０は、主として、使用者による入力を受け付けるための簡単化された語句管理操作インタフェースを提供し、使用者が語句カテゴリーへ語句を登録したり、語句カテゴリーから語句を削除したりすることを可能とするものである。語句管理操作インタフェースは、ツリー構造表示領域、語句入力領域、およびファンクションキー（機能キー）の実装（インプリメンテーション）領域を含む。ツリー構造表示領域は、使用者が語句カテゴリーの状態および各カテゴリーに格納されている分類された語句を明確に把握できるように、カテゴリー、サブカテゴリー、および語句アイテムの階層関係を表示するためのものである。語句入力領域は、使用者が、新たな語句カテゴリー名を入力し、新たな語句を特定のカテゴリー内に挿入する際にその語句を入力するものである。機能キー実装領域（挿入、削除、確認、キャンセル、など）は、関係づけられる複数の機能を選択確認し実行する際に操作されるものである。
【００２７】
（４）即時応答モジュール２４０は、使用者が新たなカテゴリーおよび新たな語句を前記語句データベースへ挿入し、当該語句データベースから既存のカテゴリーおよび既存の語句を削除するための指示および選択を完了する時に、その挿入や削除の結果に応じて、語句データベース２１０（すなわち、語句カテゴリーおよび分類された語句）を含むデータベース、および語句管理操作インタフェース（すなわち、ツリー構造をもった表示領域）の内容を直ちに更新するものである。
【００２８】
図２は、開示された本発明のシステムおよび方法における、語句管理の処理を示すフローチャートである。語句管理についての主要な処理フローは以下のとおりである。
【００２９】
最初に、使用者は、入力方法初期化インタフェース１００（図６参照）を起動する。そして、この入力方法初期化インタフェース１００の項目の中から語句管理操作インタフェースを表示させる機能（図中に「常用句管理」と表示している部分）を選択する（ステップ３００）。そして、表示されたツリー構造表示領域に表示されたものの中から特定の語句カテゴリーを選択する（ステップＳ３１０）。本システムは、図４に示されるとおり、使用者によってカテゴリーの中から特定の分類済み語句の選択指示がされたか否か、および同時に語句の削除の機能の選択指示がされたか否か、について確認する（ステップ３２０）。図４では、機能キー実装領域において削除が選択指示された場合が示されている。ステップ３２０において、語句の指定および指定された語句の削除についての選択指示が確認された場合には（ステップ３２０：ＹＥＳ）、中国語入力システム２００は、その語句カテゴリーから、特定の分類済み語句を除去し（ステップ３３０）、語句管理操作インタフェースの表示およびカテゴリーに分類される語句アイテムの内容を更新し、語句の削除を反映させる（ステップ３６０）。一方、語句の指定および指定された語句の削除についての選択指示が確認されない場合には（ステップ３２０：ＮＯ）、中国語入力システム２００は、使用者が新たに分類されるべき語句について語句入力領域への入力を希望するものであるか否か、および挿入機能を選択したか否かを確認する（ステップ３４０）。すなわち、図５に示されるとおり、新たに語句を挿入し、あるいは新たなカテゴリーを挿入する場合には、これらを挿入すべき階層関係の位置がツリー構造表示領域において指定されるとともに、これらの語句やカテゴリー名称が語句入力領域へ入力され、さらに機能キー実装領域において挿入の機能が選択される。ステップ３４０において選択が確認されない場合には（ステップ３４０：ＮＯ）、使用者は、語句管理操作を進行させることを望んでいないものとして、システムは、一連の処理フローを終了し、一方、選択が確認された場合には（ステップ３４０：ＹＥＳ）、中国語入力システム２００は、分類されるべき語句を対応する語句カテゴリーへ格納し（ステップ３５０）、語句管理操作インタフェースおよびカテゴリー分類された語句アイテムを更新する（ステップ３６０）。中国語入力システム２００は、語句管理操作の継続を希望するか否かを使用者へ問い合わせる（ステップ３７０）。使用者が継続を望んでいない場合には（ステップ３７０：ＹＥＳ）、システムは、一連の語句管理処理フローを終了する。
【００３０】
開示されたシステムおよび方法による語句分カテゴリーの入力フローチャートを図３に示す。この主要な処理フローは以下のとおりである。
【００３１】
最初に、使用者は、入力方法初期化インタフェース１００（図７参照）を起動する必要があり（ステップ４００）、システムによって語句カテゴリーを選択させる機能を選択し、システムは、その語句カテゴリーを表示する（ステップＳ４１０）。そして、使用者は、音声認識入力装置または周辺機器による入力を通じて、画面上の語句選択欄に表示された候補語句ナンバーの中から、要求される一つの語句カテゴリーを選択する（ステップ４２０）。システムは、ほかに語句サブカテゴリーが存在しないか否かを確認する。要求された語句カテゴリー中に語句サブカテゴリーの存在が確認された場合には（ステップ４２０：ＹＥＳ）、フローは、ステップ４２０に戻り、システムは、次の階層レベルの語句カテゴリーを表示する。要求された語句カテゴリー中に語句サブカテゴリーが存在しない場合には（ステップ４２０：ＮＯ）、この語句カテゴリー下にある分類済みの複数の語句が表示される（たとえば、図７に示されるとおり、生活カテゴリー下にある仕事カテゴリー（図中に「工作」と表示）に含まれる全ての分類済み語句が表示される）。それから、使用者は、上述した場合と同様の入力方法によって語句選択欄として機能するツリー構造表示領域の中から候補となる番号を選択することができ、システムは、語句データベース２１０から当該番号を通じて対応する分類済み語句を読み出す（ステップ４５０）。最後に、分類済み語句が自動的に、編集可能ファイル上に出力され（ステップ４６０）、入力処理が完了する。
【００３２】
このようなシステムによれば、頻繁に入力されやすい語句をデータベースに格納しておき、同様の語句を入力する際には語句データベース内に記憶されている語句を適宜に読み出すことによって、何度も頻繁に使用する語句を繰り返して入力することを避けることができる。しかも、語句データベースは、語句の類別属性に応じて複数のカテゴリーに分類されており、この階層構造化によって、利用者は必要とする語句を高精度かつ短時間に見つけ出すことができる。そして、新たな語句やカテゴリーを挿入し、あるいは既存の語句やカテゴリーを削除することができるので、語句データベースの内容および階層構造を自由に変更することもできる。このように本発明は、語句の類別属性に応じて語句を複数のカテゴリーに分類して格納することができる語句データベースを中国語ワープロなどの中国語入力システムに搭載したことを特徴としており、単なるインターネットブラウザやファイル管理に使われる階層構造化とは異なるものである。
【００３３】
以上説明した本発明の分類語句データベース機能付き入力システムおよび方法は、語句データベースを管理することをさらに容易なものとし、その使用も簡便に行うことができる。したがって、使用者は、自分自身の使用慣習に応じて個人的な語句データベースを設定することができる。
【００３４】
本発明によれば、使用者はデータベースを素早くサーチすることが可能となり、語句データベース内の階層構造化された複数のカテゴリーを通じて、要求する語句を見つけることができる。したがって、使用者がデータベースにおける語句を高精度および効果的にサーチすることができる。
【００３５】
さらに、使用者が、音声認識入力装置または周辺機器入力装置を通じて、語句を選択する時間を短くすることができ、語句番号を素早く選択することによって、使用者による入力速度が高められる。
【００３６】
以上のとおり本発明の入力システムおよび方法の一例について説明したが、本発明はこの場合に限られず、本発明の思想および発明の範囲内で種々の変形が当業者によって可能であることは明らかである。
【００３７】
【発明の効果】
以上説明した本発明の分類語句データベース機能付き入力システムおよび方法は、語句データベースを管理することをさらに容易なものとし、その使用も簡便に行うことができる。したがって、使用者は、自分自身の使用慣習に応じて個人的な語句データベースを設定することができる。
【００３８】
本発明によれば、使用者はデータベースを素早くサーチすることが可能となり、語句データベース内の階層構造化された複数のカテゴリーを通じて、要求する語句を見つけることができる。したがって、使用者がデータベースにおける語句を高精度および効果的にサーチすることができる。
【００３９】
さらに、使用者が、音声認識入力装置または周辺機器入力装置を通じて、語句を選択する時間を短くすることができ、語句番号を素早く選択することによって、使用者による入力速度が高められる。
【図面の簡単な説明】
【図１】本発明における分類された語句データベース機能を有する入力システムおよびその方法のシステム構成を示す図である。
【図２】開示された入力システムおよび方法による語句管理の処理手順を示すフローチャートである。
【図３】開示された入力システムおよび方法による語句分類の処理手順を示すフローチャートである。
【図４】開示された入力システムおよび方法による処理を示す概略図である。
【図５】開示された入力システムおよび方法による処理を示す概略図である。
【図６】開示された入力システムおよび方法における初期インタフェースの一例を示す図である。
【図７】開示された入力システムおよび方法における分類入力画面の一例を示す図である。
【符号の説明】
１００…入力方法初期化インタフェース、
２００…中国語入力システム、
２１０…語句データベース、
２２０…語句読み出しモジュール、
２３０…管理操作モジュール、
２４０…即時応答モジュール。
【図１】
2004145445.tif 000003
【図２】
2004145445.tif 000004
【図３】
2004145445.tif 000005
【図４】
2004145445.tif 000006
【図５】
2004145445.tif 000007
【図６】
2004145445.tif 000008
【図７】
2004145445.tif 000009